(57)【特許請求の範囲】
【請求項１】
無線通信装置を設けた端末装置と、
該端末装置と相互無線通信可能な医療用診療ユニットと、
で構成された医療用診療装置であって、
前記端末装置に無線識別素子を設け、前記医療用診療ユニットに前記無線識別素子の読取装置を設け、予め前記無線識別素子に対応する端末装置を前記読取装置に登録することにより、前記読取装置にて読み取った無線識別素子の情報を基に登録された前記端末装置が近傍にあると判定したときのみ前記端末装置に設けた前記無線通信装置と前記医療用診療ユニットとの相互無線通信を可能にし、
前記無線通信装置を設けた端末装置が複数あり、前記読取装置にて読み取った無線識別素子の情報を基に、予め前記読取装置に登録されていない端末装置と、
前記読取装置に登録されている端末装置とが前記医療用診療ユニットの近傍に混在していると判定した場合は、前記端末装置に設けた前記無線通信装置と前記医療用診療ユニットとの相互無線通信を無効とし、及び／又は、操作者に向けた警告情報を発することを特徴とする医療用診療装置。
【請求項２】
無線通信装置を設けた端末装置と、
該端末装置と相互無線通信可能な医療用診療ユニットと、
で構成された医療用診療装置であって、
前記端末装置に無線識別素子を設け、前記医療用診療ユニットに前記無線識別素子の読取装置を設け、予め前記無線識別素子に対応する端末装置を前記読取装置に登録することにより、前記読取装置にて読み取った無線識別素子の情報を基に登録された前記端末装置が近傍にあると判定したときのみ前記端末装置に設けた前記無線通信装置と前記医療用診療ユニットとの相互無線通信を可能にし、
前記相互無線通信の通信エリアは第１の近距離無線通信エリアであり、前記読取装置の前記無線通信装置に対する読み取り可能エリアは前記第１の近距離無線通信エリアより短距離の第２の近距離無線通信エリアであって、
前記無線通信装置を設けた端末装置が複数あり、前記読取装置にて読み取った無線識別素子の情報を基に、予め前記読取装置に登録されていない端末装置と、前記読取装置に登録されている端末装置とが前記医療用診療ユニットの近傍に混在していると判定した場合は、前記端末装置に設けた前記無線通信装置と前記医療用診療ユニットとの相互無線通信を無効とし、及び／又は、 操作者に向けた警告情報を発することを特徴とする医療用診療装置。
【請求項３】
前記無線通信装置を設けた端末装置が、無線フットコントローラであることを特徴とする請求項１乃至２のいずれか記載の医療用診療装置。
【請求項４】
前記無線通信装置を設けた端末装置が無線フットコントローラであり、前記医療用診療ユニットが歯科診療用ユニットであって、
前記無線フットコントローラが前記歯科診療用ユニットの近傍にあるときのみ相互無線通信を可能にし、前記端末装置により少なくとも歯科診療用ユニットの治療具の制御及び チェアの制御を可能にしたことを特徴とする請求項１乃至３のいずれか記載の医療用診療装置。
【請求項５】
前記無線通信装置を設けた端末装置が、前記医療用診療ユニット近傍に移動して使用する治療装置又は測定装置であり、前記医療用診療装置が歯科診療用ユニットであって、前記治療装置又は測定装置が前記歯科診療用ユニットの近傍にあるときに前記歯科診療用ユニットの表示装置に前記治療装置又は測定装置の治療情報や測定情報を表示可能としたことを特徴とする請求項１乃至４のいずれか記載の医療用診療装置。
【発明の詳細な説明】
【技術分野】
【０００１】
本発明は、医療用診療装置に関し、詳しくは、特にフットコントローラ等の端末装置を付帯させて医療用診療を行う際の端末装置の取り違いに起因する誤作動防止を図った医療用診療装置に関するものである。
【背景技術】
【０００２】
例えば、歯科診療室ではフットコントローラを付帯させた歯科診療用ユニットを複数台設置して歯科診療を行う。
【０００３】
このような場合、歯科診療用ユニット１台毎にフットコントローラ１台が必要となる。
【０００４】
有線形式のフットコントローラを採用している場合には、歯科診療用ユニットとフットコントローラが１対１に対応しているので、ある歯科診療用ユニットがその隣の歯科診療用ユニットに対応しているフットコントローラの操作制御で作動するという事態は生じない。
【０００５】
しかし、無線通信形式のフットコントローラを採用している場合には、無線通信手段の通信距離の如何によって不都合な事態が生じることがある。
【０００６】
例えば、Bluetooth（登録商標）規格に基づく無線通信形式を採用している場合、その電波強度の強さに応じて、１００ｍの場合Class1、１０ｍの場合Class2、１ｍの場合Class3と３種類に分類されている。
【０００７】
歯科診療用ユニットの場合、歯科診療用のチェア（椅子）を寝かせて患者の口腔の位置付近においてドクターがスツール（ドクター用椅子）に着座して診療を行うため、フットコントローラの位置は歯科診療用ユニットの制御部から１ｍを超えることが多く、Class2を適用すると通信距離が１０ｍとなり、歯科診療室内にある隣の歯科診療用ユニットやそれよりも離れた他の歯科診療用ユニットに影響を与える。
【０００８】
複数台の歯科診療用ユニットを設置している歯科診療室内において、相互無線通信を可能としている歯科診療用ユニットとフットコントローラは見た目では区別がつかない。
【０００９】
このため、ドクターがある歯科診療用ユニットと相互無線通信を可能としているフットコントローラと、当該歯科診療用ユニットと相互無線通信を可能としていない別のフットコントローラとを取り違える可能性がある。
【００１０】
そして、ドクターが取り違えたまま別のフットコントローラを操作した場合、想定外の別の歯科診療用ユニットが作動してしまうという危険がある。
【００１１】
また、フットコントローラの移動時に誤ってフットスイッチを操作してしまう事態が生じた場合、歯科診療用ユニットから距離を離していても、当該フットコントローラと相互無線通信可能である別の歯科診療用ユニットが誤動作し、想定外の事故が発生する可能性がある。
【００１２】
さらに、歯科診療室の清掃作業等を行う際には、床に置いてある複数台のフットコントローラは清掃上の邪魔になるため、まとめて一か所に移動される場合がある。
【００１３】
このとき、フットコントローラ同士が接触して誤ってフットスイッチに対する入力操作が行われてしまう事態が生じる。
【００１４】
このような場合、操作者の意志とは無関係に、当該フットコントローラからスイッチ信号が発信され、これに対応する近傍の歯科診療用ユニットが動作してしまい、予期せぬ事故の原因となる場合がある。
【００１５】
ところで、歯科診療用ユニットに付帯する端末装置としては、歯科診療用ユニットのドクターテーブルとアシスタントテーブル間、又は、複数台の歯科診療用ユニット間にわたって設置箇所を変えて使用するテーブルトップタイプの端末装置である例えば根管拡大形成器（治療装置）や根管長測定器（測定装置）等も存在する。
【００１６】
これら治療装置や測定装置の治療情報、測定情報は、当該患者を診療中の歯科診療用ユニットのみに無線通信で送信され、その表示装置のみに表示される必要がある。
【００１７】
そして、歯科診療室内の他の歯科診療用ユニットに送信、表示されたりすると思わぬ事故の原因になりかねない。
【００１８】
また、上述した治療装置や測定装置の場合、既述したフットコントローラの場合と同様に、清掃作業に伴う誤作動の問題も起きかねない。
【００１９】
特許文献１には、無線通信技術を利用した歯科診療関連の装置として、診療に用いられるハンドピースを備えたインスツルメントと、該インスツルメントが接続される接続チューブと、該接続チューブに接続されたインスツルメントを駆動する駆動部と、該駆動部を制御する制御部とを備えた診療装置であって、前記インスツルメントは、前記制御部により識別可能な識別体を備え、前記識別体を識別する識別手段が前記制御部に接続して備えられ、前記制御部は、前記識別手段により識別した前記インスツルメントに適した駆動制御情報を取得し、該駆動制御情報に基づいてインスツルメントの駆動部の動作を制御する構成とした診療装置が提案されている。
【００２０】
しかし、特許文献１の診療装置は、インスツルメントに制御部により識別可能な識別体を備え、制御部に識別体を識別する識別手段を配置し、制御部によって識別手段により識別したインスツルメントに適した駆動制御情報を取得し、当該インスツルメントを駆動制御するものであり、無線通信形式のフットコントローラの取り違えを防止するような技術を包含するものではない。
【００２１】
また、特許文献２には、無線信号を発信するフットコントローラと、該フットコントローラからの無線信号によって駆動されるコードレスの歯科治療用インスツルメントとから成り、前記インスツルメントは、該インスツルメントが患者の口腔付近にあることを検知するセンサを有し、歯科治療用インスツルメントが患者の口腔付近にある時、該インスツルメントは、前記フットコントローラからの無線信号によって駆動可能とした歯科治療装置が提案されている。
【００２２】
しかし、特許文献２の歯科治療装置は、無線信号を発信するフットコントローラを備えるものの、センサによってインスツルメントが患者の口腔付近にあることを検知したとき、当該インスツルメントをフットコントローラからの無線信号によって駆動するものであり、やはり無線通信形式のフットコントローラの取り違えを防止するような技術を包含するものではない。
【先行技術文献】
【特許文献】
【００２３】
【特許文献１】特開２０１１−１８２８４９号公報
【特許文献２】特許第５５５０１４８号公報
【発明の概要】
【発明が解決しようとする課題】
【００２４】
本発明は、医療用診療ユニットと、この医療用診療ユニットを操作するための単数又は複数の端末装置との間の各種情報伝送が相互無線通信で実行可能な環境下において、医療用診療ユニットに一対一で対応させるべき例えば無線フットコントローラ等のような端末装置の取り違いを的確に防止することができる医療用診療装置を提供することを目的とする。
【課題を解決するための手段】
【００２５】
本発明は、無線通信装置を設けた端末装置と、該端末装置と相互無線通信可能な医療用診療ユニットと、で構成された医療用診療装置であって、前記端末装置に無線識別素子を設け、前記医療用診療ユニットに前記無線識別素子の読取装置を設け、予め前記無線識別素子に対応する端末装置を前記読取装置に登録することにより、前記読取装置にて読み取った無線識別素子の情報を基に登録された前記端末装置が近傍にあると判定したときのみ前記端末装置と前記医療用診療ユニットとの相互無線通信を可能にしたことを最も主要な特徴とする。
【発明の効果】
【００２６】
請求項１記載の発明によれば、予め対応付けた端末装置が近傍にあると判定したときのみ端末装置と医療用診療ユニットとの相互無線通信を可能にしたことにより、一対一で対応させるべき端末装置の取り違いを的確に防止し、別の医療用診療装置の誤作動を無くしつつ対応付けた端末装置のみを操作しての診療行為を正確に行うことができる医療用診療装置を提供することができる。
【００２７】
そして、無線通信装置を設けた端末装置が複数あり、前記読取装置にて読み取った無線識別素子の情報を基に、予め前記読取装置に登録されていない端末装置と、前記読取装置に登録されている端末装置とが前記医療用診療ユニットの近傍に混在していると判定した場合は、前記端末装置と前記医療用診療ユニットとの相互無線通信を無効とし、及び／又は、操作者に向けた警告情報を発するように構成しているので、登録済の端末装置と、登録外の端末装置とが医療用診療ユニットの近傍に混在しているような場合に、相互無線通信の無効と、操作者による警告情報の認識との双方の態様で、端末装置の取り違い防止を的確に実現することができる医療用診療装置を提供することができる。
【００２８】
請求項２記載の発明によれば、相互無線通信の通信エリアは第１の近距離無線通信エリアであり、前記読取装置の前記無線通信装置に対する読み取り可能エリアは前記第１の近距離無線エリアより短距離の第２の近距離無線通信エリアとした構成の基に、相互無線通信の通信エリアと無線通信装置との読み取り可能エリアとの距離の差を利用して、端末装置と医療用診療ユニットとの相互無線通信の確保と、端末装置に設けた無線識別素子を利用した端末装置の取り違い防止とを的確に実現することができる医療用診療装置を提供することができる。
【００３０】
請求項３記載の発明によれば、請求項１乃至２のいずれか記載の発明において、無線通信装置を設けた端末装置を無線フットコントローラとした構成の基に、無線フットコントローラの取り違いを防止しつつ請求項１乃至４のいずれか記載の発明の効果を発揮させることができる医療用診療装置を提供することができる。
【００３１】
請求項４記載の発明によれば、請求項１乃至３のいずれか記載の発明において、無線通信装置を設けた端末装置を無線フットコントローラとし、医療用診療ユニットを歯科診療用ユニットとするとともに、前記無線フットコントローラが前記歯科診療用ユニットの近傍にあるときのみ相互無線通信を可能にし、前記無線フットコントローラにより少なくとも歯科診療用ユニットの治療具の制御及びチェアの制御を可能にした構成の基に、無線フットコントローラの取り違いを防止しつつ対応付けた無線フットコントローラを使用しての歯科診療用ユニット動作制御やの治療具やチェアの昇降制御を実行することができる医療用診療装置を提供することができる。
【００３２】
請求項５記載の発明によれば、請求項１乃至４のいずれか記載の発明において、無線通信装置を設けた端末装置を、前記医療用診療ユニット近傍に移動して使用する治療装置又は測定装置とし、前記医療用診療装置を歯科診療用ユニットとするとともに、前記治療装置又は測定装置が前記歯科診療用ユニットの近傍にあるときに前記歯科診療用ユニットの表示装置に前記治療装置又は測定装置の治療情報や測定情報を表示可能とした構成の基に、治療装置や測定装置の取り違いを防止しつつ対応付けた治療装置や測定装置の治療情報や測定情報を歯科診療用ユニットの表示装置に表示させて、正確な治療作業、測定作業を実行できる医療用診療装置を提供することができる。
【図面の簡単な説明】
【００３４】
【図１】図１は本発明の実施例１に係る医療用診療装置の外観構成を示す概略斜視図である。
【図２】図２は本実施例１に係る医療用診療装置を構成する歯科診療用ユニット、端末装置である無線フットコントローラの全体的な制御系統を示す概略ブロック図である。
【図３】図３は本実施例１に係る医療用診療装置を構成する歯科診療用ユニットの機能操作系を示す概略ブロック図である。
【図４】図４は本実施例１に係る医療用診療装置を構成する歯科診療用ユニットの監視系を示す概略ブロック図である。
【図５】図５は本実施例１に係る無線タグ、無線タグリーダの概略構成ブロック図である。
【図６】図６は本実施例１に係る無線タグリーダに対して通信エリア内に存在する無線フットコントローラに設けた無線タグの無線タグ情報を登録する場合の説明図である。
【図７】図７は本実施例１に係る歯科診療用ユニットと登録済みとした無線フットコントローラとの間の相互無線通信可能状態を示す説明図である。
【図８】図８は本実施例１に係る歯科診療用ユニットに設けた無線タグリーダの通信エリア内に登録済みとした無線フットコントローラと登録外の無線フットコントローラとが混在するため、歯科診療用ユニットと登録済みとした無線フットコントローラとの間の相互無線通信を不可とした状態を示す説明図である。
【図９】図９は本実施例１に係る歯科診療用ユニットに設けた無線タグリーダの通信エリア外に登録済みとした無線フットコントローラが存在するため相互無線通信不可状態となる場合を示す説明図である。
【図１０】図１０は本実施例１に係る歯科診療用ユニットの表示手段に相互無線通信を不可とした旨の警告情報を表示した状態を示す説明図である。
【図１１】図１１は本実施例１の医療用診療装置の変形例に係る医療用診療装置の外観構成を示す概略斜視図である。
【図１２】図１２は変形例に係る医療用診療装置の全体的な制御系統を示す概略ブロック図である。
【図１３】図１３は本実施例１の医療用診療装置の別の変形例に係る医療用診療装置の外観構成を示す概略斜視図である。
【図１４】図１４は本発明の実施例２に係る医療用診療装置の外観構成を示す概略斜視図である。
【図１５】図１５は本実施例２に係る医療用診療装置の別の端末装置である根管拡大形成器を示す概略斜視図である。
【図１６】図１６は本実施例２に係る医療用診療装置のさらに別の端末装置である根管長測定器を示す概略斜視図である。
【図１７】図１７は本実施例２に係る医療用診療装置の全体構成を示すブロック図である。
【図１８】図１８は本実施例２に係る医療用診療装置を構成する歯科診療用ユニットの表示手段における根管拡大形成器の治療情報の表示状態を示す説明図である。
【図１９】図１９は本実施例２に係る医療用診療装置を構成する歯科診療用ユニットの表示手段における根管長測定器の測定情報の表示状態を示す説明図である。
【図２０】図２０は本実施例２の変形例に係る医療用診療装置の外観構成を示す概略斜視図である。
【図２１】図２１は本実施例２の変形例に係る医療用診療装置の全体構成を示すブロック図である。
【図２２】図２２は本実施例２の変形例に係る医療用診療装置を構成するタブレット型端末に根管拡大形成器の治療情報を表示した状態を示す説明図である。
【図２３】図２３は本実施例２の変形例に係る医療用診療装置を構成するタブレット型端末に根管長測定器の測定情報を表示した状態を示す説明図である。
【発明を実施するための形態】
【００３５】
本発明は、医療用診療ユニットと、この医療用診療ユニットを操作するための単数又は複数の端末装置との間の各種情報伝送が相互無線通信で実行可能な環境下において、医療用診療ユニットに一対一で対応させるべき端末装置の取り違いを的確に防止することができる医療用診療装置を提供するという目的を、無線通信装置を設けた端末装置と、該端末装置と相互無線通信可能な医療用診療ユニットと、で構成された医療用診療装置であって、前記端末装置に無線識別素子を設け、前記医療用診療ユニットに前記無線識別素子の読取装置を設け、前記相互無線通信の通信エリアを第１の近距離無線通信エリアとし、前記読取装置の前記無線通信装置に対する読み取り可能エリアを前記第１の近距離無線エリアより短距離の第２の近距離無線通信エリアとし、予め前記無線識別素子に対応する端末装置を前記読取装置に登録することにより、前記読取装置にて読み取った無線識別素子の情報を基に登録された前記端末装置が近傍（第２の近距離無線エリア内）にあると判定したときのみ前記端末装置と前記医療用診療ユニットとの相互無線通信を可能にした構成により実現した。
【００３６】
以下に本発明の実施例に係る医療用診療装置について図面を参照して詳細に説明する。
【実施例１】
【００３７】
本発明の実施例１に係る医療用診療装置１について、図１乃至図１０を参照して説明する。
【００３８】
本実施例１に係る医療用診療装置１は、医療用診療ユニットの一例である歯科診療用ユニット１１に適用したものである。
【００３９】
本実施例１に係る歯科診療用ユニット１１は、図１に示すように、基台１２と、前記基台１２の上に設置された患者用のチェア１３と、このチェア１３の図１において右側に設けられたドクターが使用するドクターテーブル１４と、前記チェア１３の左側に設けられたユニット本体部１５と、前記ユニット本体部１５の後部に設けられたアシスタントハンガー１６と、を備えている。
【００４０】
前記ドクターテーブル１４は、前記ユニット本体部１５により基端側が支持されたアーム１７により位置変更可能に支持されるとともに、タッチパネル式に構成した表示手段（表示装置）１８を含むコントロールパネル部１９．各種ハンドピース、シリンジ等の種々のインスツルメント類２０ａを保持したインスツルメントハンガー２０、テーブル２１等を配置している。
【００４１】
また、前記アシスタントハンガー１６には、ドクターの補助者であるアシスタントが使用するバキュームユニット等を配置している。
【００４２】
前記ユニット本体部１５又は基台１２の近傍には、詳細は後述するが端末装置の一つとしてドクターが足踏みで前記チェア１３の上下動操作や術具であるインスツルメント類２０ａの駆動等を行うための無線フットコントローラ２２を配置している。
【００４３】
また、前記無線フットコントローラ２２は、前記ユニット本体部１５と間の相互無線通信を、例えば、Bluetooth（登録商標）規格：Class2（通信距離１０ｍ）の仕様からなる無線通信形式の基に行う仕様としている。
【００４４】
本実施例１においては、この相互無線通信の通信エリアを、第１の近距離無線通信エリアと定義する。
【００４５】
さらに、前記無線フットコントローラ２２には、やはり詳細は後述するが前記無線フットコントローラ２２自体を個々に識別するための無線通信装置を構成する無線識別素子である無線タグ（ＲＦＩＤ（Radio Frequency Identification）タグ）２２を配置している。
【００４６】
前記無線タグ２は、例えばマイクロ波帯（２．４ＧＨｚ）で到達距離を半径２ｍ以内とした識別用無線信号である無線タグＩＤ情報を発信するパッシブ型の仕様を採用した例を挙げることができるが、これに限定されるものではない。
【００４７】
尚、図１には前記無線タグ２を無線フットコントローラ２２に外付けした例を示しているが、無線タグ２を無線フットコントローラ２２に内蔵する構成とすることももちろん可能である。
【００４８】
前記ユニット本体部１５の上部には、給水ノズル２５、コップ受２６、排水鉢２７を備えるスピットン部２４を配置している。
【００４９】
前記ユニット本体部１５には、前記無線タグ２を活性化するとともに無線タグ２からの無線タグＩＤ情報を読み取る（受信する）読取装置である無線タグリーダ３を配置している。
【００５０】
本実施例１においては、前記無線タグ２の無線タグＩＤ情報の到達距離に対応する無線タグリーダ３の通信エリアＥを、前記第１の近距離無線通信エリアより短距離の第２の近距離無線通信エリアと定義する。
【００５１】
この他、前記歯科診療用ユニット１１には、歯科診療時に患者の口腔内の照明を行うための無影灯２９を位置変更可能に配置している。
【００５２】
さらに、図示しないが、前記ユニット本体部１５は、前記歯科診療用ユニット１１の各種動作に必要な電力を供給する電力ケーブル、動作に必要な水、エアーを供給する給水パイプ、エアーパイプ等を接続する構成としている。
【００５３】
次に、本実施例１に係る医療用診療装置１における前記歯科診療用ユニット１１、無線タグ２、無線タグリーダ３、無線フットコントローラ２２に関する駆動系、制御系について図２乃至図５を参照して説明する。
【００５４】
前記歯科診療用ユニット１１は、図２に示すように、医療用診療装置１全体の動作制御を行う制御部３１と、医療用診療装置１の動作プログラム、無線フットコントローラ２２との無線通信を行うための無線通信プログラム等を記憶したプログラムメモリ３２と、を有している。
【００５５】
また、前記歯科診療用ユニット１１は、各種情報を記憶する記憶部３３と、歯科診療用ユニット１１の各要素の駆動や操作を行う操作機能系３４と、医療用診療装置１の各要素のエラー情報を含む動作監視、各要素の動作状況の監視を行う監視系３５と、前記無線フットコントローラ２２との間で無線にて各種情報の相互無線通信を行う既述したようなブルートゥース規格の通信手段を構成するユニット通信部３６と、後述する無線タグリーダ３からの判定情報を基に前記ユニット通信部３６を相互無線通信有効状態、相互無線通信不可状態（相互無線通信無効状態）に切り換える無線通信状態切替部３７とを有し、前記無線タグリーダ３を制御部３１に接続した構成としている。
【００５６】
さらに、前記制御部３１に前記表示手段１８、コントロールパネル部１９を接続している。
【００５７】
前記記憶部３３に記憶する記憶情報には、「登録済の無線フットコントローラと、登録外の無線フットコントローラとが通信エリアＥ内に混在するため相互無線通信を無効としました」、「登録外の無線フットコントローラが通信エリアＥ内に混在するため相互無線通信を無効としました」等というような警告情報が含まれている。
【００５８】
次に、前記無線フットコントローラ２２は、図２に示すように、前記チェア１３の上下動操作や術具であるインスツルメント類２０ａの駆動等を行うためのスイッチ信号を個別に出力する所要数のスイッチ群６１と、スイッチ群６１からのスイッチ信号を切替出力するスイッチコントローラ６２と、スイッチコントローラ６２からのスイッチ信号を取り込み前記ユニット通信部３６との間で無線にて相互無線通信を行い、当該スイッチ信号を前記ユニット通信部３６に送信するブルートゥース規格の通信手段を構成するフットコントローラ通信部６３と、この無線フットコントローラ２２自体の動作に必要な電力供給を行う電源部６４と、を有し、さらに、前記無線タグ２を付加した構成としている。
【００５９】
前記操作機能系３４は、図３に示すように、前記インスツルメント類２０ａを駆動するインスツルメント類駆動部４１と、前記チェア１３を駆動するチェア駆動部４２と、前記無影灯２９に対する点灯駆動等を行う無影灯駆動部４３と、を具備し、前記ユニット通信部３６にて受信した前記無線フットコントローラ２２からのスイッチ信号に基づく制御部３１の制御の基にインスツルメント類駆動部４１によりインスツルメント類２０ａのいずれかを駆動したり、チェア駆動部４２により前記チェア１２を昇降駆動したりするように構成している。
【００６０】
前記監視系３５は、図４に示すように、各種インスツルメント類２０ａのうちの切削系のインスツルメントのエラーを監視しエラー情報を出力する切削系を含むドクターテーブルエラー監視部５１と、前記チェア１２のエラーを監視しエラー情報を出力するチェアエラー監視部５２と、無線フットコントローラ２２のエラーを監視しエラー情報を出力する無線フットコントローラエラー監視部５３と、各種インスツルメント類２０ａその他各要素の電圧、電流、部品温度のエラーを監視しエラー情報を出力する電圧・電流・部品温度エラー監視部５４と、各種インスツルメント類２０ａ等の空気圧、水圧、気温等のエラーを監視しエラー情報を出力する空気圧・水圧・気温等のエラー監視部５５と、を具備している。
【００６１】
次に、前記無線タグ２及び無線タグリーダ３について図５を参照して説明する。
【００６２】
前記無線タグ２は、図５に示すように、無線タグ制御部８１を具備し、この無線タグ制御部８１に、送受信回路８３を介して無線タグリーダ３からの無線による読み取り信号を受信する無線タグアンテナ８４を接続し、また、無線タグ制御部８１に、無線タグ２自体の固有の無線タグＩＤ情報を記憶した無線タグ記憶部８２と、前記読み取り信号に基づき電磁誘導により無線タグ２を活性化する電力を生成する無線タグ電力生成部８５と、を接続することにより構成している。
【００６３】
そして、活性化された無線タグ２の無線タグアンテナ８４から前記無線タグＩＤ情報を無線にて発信するように構成している。
【００６４】
前記無線タグリーダ３は、この無線タグリーダ３の動作制御を行う無線タグリーダ制御部９１と、この無線タグリーダ３の動作プログラム、無線タグ２の登録判定プログラムを格納した無線タグリーダプログラムメモリ９２と、を有するとともに、前記無線タグリーダ制御部９１に送受信回路９３を介して無線タグリーダアンテナ９４を接続し、無線タグリーダ制御部９１の制御の基に無線による読み取り信号を送受信回路９３を介して無線タグリーダアンテナ９４から前記無線タグ２に向けて送信し、前記通信エリアＥ内に無線タグ２が存在する場合にはこの無線タグ２を活性化し、また、前記通信エリアＥ内に存在する無線フットコントローラ２２に取り付けた無線タグ２からの無線タグＩＤ情報を無線タグリーダアンテナ９４にて受信し送受信回路９３を経て無線タグリーダ制御部９１に伝送する構成としている。
【００６５】
さらに、前記無線タグリーダ３は、予め前記歯科診療用ユニット１１に対応付ける無線タグ２の無線タグＩＤを登録（記憶）する無線タグＩＤ情報記憶部９５と、歯科診療用ユニット１１と無線フットコントローラ２２との間の相互無線通信の許可又は不許可（無効）のための判定を行う無線タグ情報判定部９６と、無線タグリーダ電源部９７と、を具備している。
【００６６】
前記無線タグ情報判定部９６は、無線タグリーダ制御部９１から前記無線タグ２の無線タグＩＤ情報が伝送されたとき、前記無線タグＩＤ情報記憶部９５を参照して当該無線タグＩＤ情報が登録済であると判定したときには相互無線通信許可情報を無線タグリーダ制御部９１の制御の基に前記歯科診療用ユニット１１の制御部３１に伝送し、また、無線タグＩＤ情報が登録外であると判定したとき、若しくは、登録済である無線タグＩＤ情報と、登録外の無線タグＩＤ情報とがあると判定したときには相互無線通信不許可情報、及び、警告表示要求情報を無線タグリーダ制御部９１の制御の基に前記歯科診療用ユニット１１の制御部３１に伝送するように構成している。
【００６７】
すなわち、前記無線タグリーダ３は、通信エリアＥ内に存在する無線フットコントローラ２２が前記歯科診療用ユニット１１に対応付けたものである場合にのみ相互無線通信許可情報を前記歯科診療用ユニット１１に伝送し、また、対応付けた無線フットコントローラ２２と対応付けていない無線フットコントローラ２２とが混在する場合には、相互無線通信不許可情報、及び、警告表示要求情報を前記歯科診療用ユニット１１に伝送するように構成している。
【００６８】
さらに、通信エリアＥ外に対応付けた無線フットコントローラ２２が存在する場合には、前記無線タグリーダ３は、この無線フットコントローラ２２に設けた無線タグ２を活性化できないため、無線タグＩＤ情報を取得できないことから、この場合も相互無線通信不許可情報を前記歯科診療用ユニット１１に伝送するように構成している。
【００６９】
次に、本実施例１に係る医療用診療装置１の作用、効果について、前記歯科診療用ユニット１１に設けた無線タグリーダ３と、無線フットコントローラ２２に設けた無線タグ２との間の無線通信態様と、前記歯科診療用ユニット１１と無線フットコントローラ２２との相互無線通信可否の関係を主とし、かつ、図６乃至図１０を参照して説明する。
【００７０】
（無線タグリーダ３に対する無線フットコントローラ２２に設けた無線タグ２の登録）
図６に示すように、無線フットコントローラ２２に設けた無線タグ２の無線タグＩＤ情報を、特定の歯科診療用ユニット１１に設けた無線タグリーダ３に登録する場合には、図６に示すように、前記無線フットコントローラ２２を無線タグリーダ３の通信エリアＥ内に配置した状態で、無線タグリーダ３から読み取り信号を前記無線タグ２に向けて無線送信する。
【００７１】
これにより、無線タグ２は活性化され、無線タグＩＤ情報を無線タグリーダ３に無線送信する。
【００７２】
無線タグリーダ３は、無線タグＩＤ情報を受信すると、無線タグリーダ制御部９１の制御の基に無線タグＩＤ情報記憶部９５に登録（記憶）する。
【００７３】
これにより、前記歯科診療用ユニット１１と無線フットコントローラ２２とが、登録された無線タグＩＤ情報を介して一対一の関係に対応付けられることになる。
【００７４】
（対応付けられた歯科診療用ユニット１１と無線フットコントローラ２２との相互無線通信）
図７に示すように、対応付けられた無線フットコントローラ２２が特定の歯科診療用ユニット１１に設けた無線タグリーダ３の通信エリアＥ内に存在すると、上述した場合と同様、無線タグリーダ３は読み取り信号を前記無線タグ２に向けて無線送信し、これにより、無線タグ２は活性化され、無線タグＩＤ情報を無線タグリーダ３に無線送信する。
【００７５】
前記無線タグリーダ３においては、前記無線タグＩＤ情報を受信すると、無線タグリーダ制御部９１の制御の基に前記無線タグ情報判定部９６は前記無線タグＩＤ情報と、無線タグＩＤ情報記憶部９５に登録済の無線タグＩＤ情報とを照合し、この場合には両者が合致するので、相互無線通信許可情報を歯科診療用ユニット１１に伝送する。
【００７６】
前記歯科診療用ユニット１１の制御部３１は、相互無線通信許可情報が伝送されてくると前記無線通信状態切替部３７を動作させ、ユニット通信部３６を相互無線通信可能な状態に切り換える。
【００７７】
これにより、前記歯科診療用ユニット１１のユニット通信部３６と、前記無線フットコントローラ２２のフットコントローラ通信部６３との間の相互無線通信が可能となる。
【００７８】
この状態では、例えばドクター等が前記無線フットコントローラ２２のスイッチ群６１のうちの所望するスイッチを足踏み操作することで、前記チェア１３の上下動操作信号や、術具であるインスツルメント類２０ａのうちのいずれかのインスツルメントの駆動信号をフットコントローラ通信部６３からユニット通信部３６へ相互無線通信の態様で送信することができる。
【００７９】
この結果、前記歯科診療用ユニット１１においてドクター等足踏み操作に応じた前記チェア１３の上下動やいずれかのインスツルメントによる歯科治療が実行されることになる。
【００８０】
（対応付けた無線フットコントローラ２２と対応付けていない無線フットコントローラ２２とが通信エリアＥ内に混在する場合の相互無線通信無効）
図８に示すように、登録済の無線タグＩＤ情報を介して対応付けられた無線フットコントローラ２２と、対応付けていない（登録外の）無線フットコントローラ２２とが特定の歯科診療用ユニット１１に設けた無線タグリーダ３の通信エリアＥ内に混在する場合には、前記無線タグリーダ３は、前記各無線フットコントローラ２２における各無線タグ２からの無線タグＩＤ情報を読み取る。
【００８１】
そして、前記無線タグ情報判定部９６は登録済の無線タグＩＤ情報と登録外の無線タグＩＤ情報とが存在すると判定し、この場合には、相互無線通信不許可情報及び警告情報表示要求を歯科診療用ユニット１１に伝送する。
【００８２】
前記歯科診療用ユニット１１の制御部３１は、相互無線通信不許可情報が伝送されてくると前記無線通信状態切替部３７を動作させ、ユニット通信部３６を相互無線通信不可（無効）状態に切り換える。
【００８３】
これにより、前記歯科診療用ユニット１１のユニット通信部３６と、前記無線フットコントローラ２２のフットコントローラ通信部６３との間の相互無線通信は実行不可となる。
【００８４】
同時に前記制御部３１は、警告情報表示要求が伝送されてくると前記記憶部３３に記憶している警告情報を読み出し、図１０に示すように、前記表示手段１８に「登録済の無線フットコントローラと、登録外の無線フットコントローラとが通信エリアＥ内に混在するため相互無線通信を無効としました」旨の警告情報を表示させる。
【００８５】
尚、図示しないが、登録外の無線フットコントローラのみが通信エリアＥ内に存在する場合も上述した場合と同様な処理が行われ、前記歯科診療用ユニット１１のユニット通信部３６と、登録外の無線フットコントローラ２２のフットコントローラ通信部６３との間の相互無線通信は実行不可となる。
【００８６】
（対応付けた無線フットコントローラ２２が通信エリアＥ外に存在する場合）
図９に示すように、通信エリアＥ外に対応付けた無線フットコントローラ２２が存在する場合には、前記無線タグリーダ３は、この無線フットコントローラ２２に設けた無線タグ２を活性化できず、無線タグＩＤ情報を取得できないことから、この場合も相互無線通信不許可情報を前記歯科診療用ユニット１１に伝送する。
【００８７】
前記歯科診療用ユニット１１の制御部３１は、相互無線通信不許可情報が伝送されてくると、上述した場合と同様に前記無線通信状態切替部３７を動作させ、ユニット通信部３６を相互無線通信不可（無効）状態に切り換える。
【００８８】
これにより、前記歯科診療用ユニット１１のユニット通信部３６と、前記無線フットコントローラ２２のフットコントローラ通信部６３との間の相互無線通信は実行不可となる。
【００８９】
尚、対応付けていない無線フットコントローラ２２が通信エリアＥ外に存在する場合においては、当然に前記歯科診療用ユニット１１のユニット通信部３６と、当該無線フットコントローラ２２のフットコントローラ通信部６３との間の相互無線通信は実行不可となる。
【００９０】
以上説明したように、本実施例１に係る医療用診療装置１によれば、前記歯科診療用ユニット１１に一対一で対応させるべき端末装置である無線フットコントローラ２２が通信エリアＥ内に存在するときのみ、歯科診療用ユニット１１のユニット通信部３６と、前記無線フットコントローラ２２のフットコントローラ通信部６３との間の相互無線通信を可能とし、前記無線フットコントローラ２２による歯科診療用ユニット１１の操作を実行できる状態とし、それ以外の場合は相互無線通信を不可とするものである。
【００９１】
したがって、前記無線フットコントローラ２２による歯科診療用ユニット１１の操作は、この歯科診療用ユニット１１に対応付けた無線フットコントローラ２２のみで実効し得ることになる。
【００９２】
一方、それ以外の場合、すなわち、登録外の無線フットコントローラ２２のみが通信エリアＥ内に存在する場合や、対応付けた無線フットコントローラ２２と登録外の無線フットコントローラ２２のみが通信エリアＥ内に混在する場合には、無線フットコントローラ２２による歯科診療用ユニット１１の操作を実行できないことになる。
【００９３】
この結果、見た目だけでは判別できない無線フットコントローラ２２の取り違えによる歯科診療用ユニット１１の誤動作という不都合な事態を確実に回避することができる。
【００９４】
また、無線フットコントローラ２２の移動時に、この無線フットコントローラ２２を誤って操作してしまう事態が生じた場合でも、当該無線フットコントローラ２２の移動領域が通信エリアＥ外であれば、仮に第１の近距離無線通信エリア内であったとしても、上述した場合と同様にして当該無線フットコントローラ２２に対応付けた歯科診療用ユニット１１が動作し、想定外の事故が発生するという危険性は無くなる。
【００９５】
さらに、歯科診療室の清掃作業等を行う際に、床に置いてある複数台の無線フットコントローラ２２をまとめて一か所に移動したような場合に無線フットコントローラ２２同士が接触して誤って入力操作が行われてしまったという事態が生じても、仮にその移動した領域が通信エリアＥ内であって、第１の近距離無線通信エリア内であったとしても、ユニット通信部３６を相互無線通信不可（無効）状態に切り換えて、当該無線フットコントローラ２２に対応付けた歯科診療用ユニット１１が動作し想定外の事故が発生するという危険性は無くなる。
【００９６】
次に、図１１乃至図１３を参照して本実施例１に係る医療用診療装置１の変形例について説明する。
【００９７】
図１１は、本実施例１に係る医療用診療装置１の変形例に係る医療用診療装置１Ａを示すものであり、この医療用診療装置１Ａは、基本的構成は前記医療用診療装置１の場合と同様であるが、前記ドクターテーブル１４の後部に歯科診療用ユニット１１の付属装置として、前記歯科診療用ユニット１１と相互無線通信可能な付属装置であるタブレット型端末（タブレット型コンピュータ）１０１を設けたこと、及び前記アシスタントハンガー１６の上部に同じく付属装置であるタブレット型端末（タブレット型コンピュータ）２０１を設けたことが特徴である。
【００９８】
尚、図１１に示す変形例に係る医療用診療装置１Ａにおいて、既述した実施例１に係る医療用診療装置１の場合と同一の要素には同一の符号を付して示し、その詳細説明は省略する。
【００９９】
図１２は、変形例に係る医療用診療装置１Ａの全体構成を示すブロック図であり、前記歯科診療用ユニット１１は、実施例１に係る歯科診療用ユニット１１と同一の構成であり、また、実施例１の場合と同様無線タグリーダ３を接続した構成としている。
【０１００】
前記タブレット型端末１０１は、このタブレット型端末１０１の動作を制御する端末制御部１０２と、タブレット型端末１０１の動作プログラム。無線通信プログラムを格納した端末プログラムメモリ１０３と、前記歯科診療用ユニット１１のユニット通信部３６と相互無線通信を行うために既述した場合と同様なブルートゥース規格：Class2により構成した端末通信部１０４と、例えば１０インチ、１５インチ等の大きな表示サイズの液晶ディスプレイ等からなる端末表示部１０５と、各種の情報を記憶する端末記憶部１０６と、を有している。
【０１０１】
前記タブレット型端末２０１は、前記タブレット型端末１０１の場合と同様に、このタブレット型端末２０１の動作を制御する端末制御部２０２と、タブレット型端末２０１の動作プログラム。無線通信プログラムを格納した端末プログラムメモリ２０３と、前記歯科診療用ユニット１１のユニット通信部３６と相互無線通信を行うために既述した場合と同様なブルートゥース規格：Class2により構成した端末通信部２０４と、例えば１０インチ、１５インチ等の大きな表示サイズの液晶ディスプレイ等からなる端末表示部２０５と、各種の情報を記憶する端末記憶部２０６と、を有している。
【０１０２】
尚、変形例に係る医療用診療装置１Ａにおいては、付属装置として前記タブレット型端末１０１及びタブレット型端末２０１からなる２台を配置した構成としたが、これらのうちいずれか一方のみを使用した構成とすることももちろん可能である。
【０１０３】
上述した構成からなる変形例に係る医療用診療装置１Ａによれば、前記タブレット型端末１０１及びタブレット型端末２０１を使用しない状態の基では、既述した実施例１に係る医療用診療装置１の場合と同様な作用、効果を発揮させることができる。
【０１０４】
さらに、変形例に係る医療用診療装置１Ａにおいて、前記タブレット型端末１０１及びタブレット型端末２０１を動作状態とすることによって、前記歯科診療用ユニット１１のユニット通信部３６と前記タブレット型端末１０１の端末通信部１０４との間、前記歯科診療用ユニット１１のユニット通信部３６と前記タブレット型端末２０１の端末通信部２０４との間の相互無線通信が各々実行される。
【０１０５】
これにより、前記歯科診療用ユニット１１と無線フットコントローラ２２との相互無線通信が不可の状態が発生したとき、例えば既述した「登録済の無線フットコントローラと、登録外の無線フットコントローラとが通信エリアＥ内に混在するため相互無線通信を無効としました」旨の警告情報を前記端末表示部１０５に表示したり、前記端末表示部２０５に表示したりすることができ、歯科診療用ユニット１１と無線フットコントローラ２２との対応関係が明確化し、ドクターやアシスタントが無線フットコントローラ２２を取り違えて誤操作してしまうという不都合な事態発生をより的確に防止することができる。
【０１０６】
図１３は、別の変形例に係る医療用診療装置１Ｂを概略的に示すものであり、既述した実施例１に係る医療用診療装置１の場合と同一の要素には同一の符号を付して示し、その詳細説明は省略する。
【０１０７】
図１３に示す別の変形例に係る医療用診療装置１Ｂは、図１１に示す変形例に係る医療用診療装置１Ａと略同様な構成であるが、前記タブレット型端末１０１、タブレット型端末２０１に替えて、相互無線通信機能（ブルートゥース規格：Class2）を含め前記タブレット型端末１０１等と略同様な機能を有し、より小型の付属装置であるスマートフォン３０１を採用したことが特徴である。
【０１０８】
この場合、付属装置であるスマートフォン３０１は、携帯可能で配置の自由度が極めて大きいことから、図１３に示すように、ドクターテーブル１４の上、チェア１３の任意の位置、アシスタントハンガー１６の近傍というような任意の位置を選択して配置することができる。
【０１０９】
このような付属装置であるスマートフォン３０１を含む構成とすることにより、前記スマートフォン３０１を動作状態とすることによって、前記歯科診療用ユニット１１のユニット通信部３６と、前記スマートフォン３０１の相互無線通信機能とにより、これらの間の相互無線通信が実行される。
【０１１０】
これにより、前記歯科診療用ユニット１１と無線フットコントローラ２２との相互無線通信が不可の状態が発生したとき、例えば既述した「登録済の無線フットコントローラと、登録外の無線フットコントローラとが通信エリアＥ内に混在するため相互無線通信を無効としました」旨の警告情報を前記スマートフォン３０１の画面に表示することができ、歯科診療用ユニット１１と無線フットコントローラ２２との対応関係が明確化し、ドクターやアシスタントが無線フットコントローラ２２を取り違えて誤操作してしまうという不都合な事態発生をより的確に防止することができる。
【実施例２】
【０１１１】
次に、本発明の実施例２に係る医療用診療装置１Ｃについて、図１４乃至図１９を参照して説明する。
【０１１２】
尚、本実施例２に係る医療用診療装置１Ｃにおいて、既述した実施例１の医療用診療装置１の場合と同一の要素には同一の符号を付し、その詳細説明は省略する。
【０１１３】
本実施例２に係る医療用診療装置１Ｃは、図１４に示すように、基本的構成は実施例１の医療用診療装置１の場合と略同様であるが、端末装置として無線識別素子である無線タグ２を設けた治療装置である根管拡大形成器１５１、及び、無線タグ２を設けた測定装置である根管長測定器２５１を付加し、前記根管拡大形成器１５１を例えば通信エリアＥ内であるドクターテーブル１４のテーブル２１上に、前記根管長測定器２５１を例えば通信エリアＥ内であるアシスタントハンガー１６の近傍に配置する構成としたことが特徴である。
【０１１４】
本実施例２に係る医療用診療装置１Ｃにおいて、前記歯科診療用ユニット１１における無線タグリーダ３の配置は、実施例１の場合と同様に前記ユニット本体部１５に配置するが、この他、前記根管拡大形成器１５１用の別の無線タグリーダ３をドクターテーブル１４に配置し、前記根管長測定器２５１用のさらに別の無線タグリーダ３を前記アシスタントハンガー１６の近傍に配置する構成とすることも可能である。
【０１１５】
前記根管拡大形成器１５１は、既に公知ではあるが図１５に概略的に示すように、既述したような歯科診療用ユニット１１との相互無線通信機能、後述するファイル１５４の回転数や正転逆転情報等の治療情報生成機能を搭載した根管拡大形成器本体１５２と、この根管拡大形成器本体１５２に駆動ケーブル１５３を介して接続されるとともに、根管の中に回転させながら入れて根管を拡大させるファイル（根管を拡大・清掃するドリル状の器具）１５４を回転駆動する駆動モータ内蔵のハンドピース１５５と、前記根管拡大形成器本体１５２に電気ケーブル１５６により接続されるとともに歯茎等に接触させる接触電極１５７とを具備している。
【０１１６】
また、前記根管拡大形成器本体１５２は、前記ファイル１５４の回転数や正転逆転情報を表示する表示部１５８と、操作ボタン等を配置した操作部１５９とを設けている。
【０１１７】
さらに、前記根管拡大形成器本体１５２には、既述した場合と同様な無線タグ２を例えば外付けにより設けている。
【０１１８】
前記根管長測定器２５１は、既に公知ではあるが図１６に概略的に示すように、既述したような歯科診療用ユニット１１との相互無線通信機能、根管内のファイル２５４の位置情報（根先までの距離情報）のような測定情報に関する例えばスケール形態の画像生成機能を搭載した根管長測定器本体２５２と、この根管長測定器本体２５２に接続ケーブル２５３を介して接続されるとともに、根管の中に挿入されるファイル２５４と、前記根管長測定器本体２５２に電気ケーブル２５５により接続されるとともに歯茎等に接触させる接触電極２５６とを具備している。
【０１１９】
また、前記根管長測定器本体２５２は、根管内のファイル２５４の位置情報（根先までの距離情報）を画像情報として表示する表示部２５７と、操作ボタン等を配置した操作部２５８とを設けている。
【０１２０】
さらに、前記根管長測定器本体２５２には、既述した場合と同様な無線タグ２を例えば外付けにより設けている。
【０１２１】
図１７は、本実施例２に係る医療用診療装置１Ｃの全体構成を示すブロック図である。
【０１２２】
次に、本実施例２に係る医療用診療装置１Ｃの作用、効果を、前記根管拡大形成器１５１による治療情報、前記根管長測定器２５１による測定情報を相互無線通信により前記歯科診療用ユニット１１の表示手段１８に表示する場合を主にし、かつ、図１８、図１９をも参照して説明する。
【０１２３】
尚、前記根管拡大形成器１５１に設けた無線タグ２、前記根管長測定器２５１に設けた無線タグ２の各無線タグＩＤ情報は、前記歯科診療用ユニット１１の記憶部３３に登録済みであるものとする。
【０１２４】
例えば、ドクターが前記根管拡大形成器１５１の根管拡大形成器本体１５２を通信エリアＥ内であるドクターテーブル１４のテーブル２１上に配置し、この状態で患者に対する根管拡大形成治療を実行すると、根管拡大形成器本体１５２は前記ファイル１５４の回転数や正転逆転情報等の治療情報を生成し、さらに、根管拡大形成器本体１５２は生成した治療情報を相互無線通信機能により前記歯科診療用ユニット１１に送信する。
【０１２５】
前記歯科診療用ユニット１１は、実施例１の場合と同様に処理し、前記表示手段１８の画面にファイル１５４の回転数や正転逆転情報等の治療情報を表示する。
【０１２６】
図１８にこの場合の表示手段１８における治療情報の表示状態を示す。
【０１２７】
一方、例えばアシスタントが前記根管長測定器２５１の根管長測定器本体２５２を通信エリアＥ内であるアシスタントハンガー１６の近傍に配置し、この状態で患者に対する根管長測定を実行すると、根管長測定器本体２５２は根管内のファイル２５４の位置情報（根先までの距離情報）に関する例えばスケール形態の画像情報（測定情報）を生成し、さらに、根管長測定器本体２５２は生成した測定情報を相互無線通信機能により前記歯科診療用ユニット１１に送信する。
【０１２８】
前記歯科診療用ユニット１１は、実施例１の場合と同様に処理し、前記表示手段１８の画面に測定情報を表示する。
【０１２９】
図１９にこの場合のこの場合の表示手段１８における測定情報の表示状態を示す。
【０１３０】
上述した場合とは異なり、前記根管拡大形成器１５１の根管拡大形成器本体１５２や、前記根管長測定器２５１の根管長測定器本体２５２が、通信エリアＥ内に存在しない場合には、実施例１で説明した場合と同様な処理の基に前記根管拡大形成器１５１の根管拡大形成器本体１５２や、前記根管長測定器２５１の根管長測定器本体２５２と前記歯科診療用ユニット１１との間の相互無線通信が不可となる。
【０１３１】
また、仮に前記歯科診療用ユニット１１の隣の歯科診療用ユニット１１において根管拡大形成器１５１による根管拡大形成治療が行われその根管拡大形成器本体１５２が万が一前記通信エリアＥ内に存在するような場合も、実施例１で説明した場合と同様な処理の基に、この根管拡大形成器本体１５２に設けた無線タグ２の無線タグＩＤ情報は前記歯科診療用ユニット１１に登録されていないため、やはり当該根管拡大形成器本体１５２と前記歯科診療用ユニット１１との間の相互無線通信が不可となる。前記根管長測定器２５１の場合についても事情は同様である。
【０１３２】
このようにして、本実施例２に係る医療用診療装置１Ｃによれば、前記歯科診療用ユニット１１に一対一で対応させるべき端末装置である根管拡大形成器１５１や根管長測定器２５１が通信エリアＥ内に存在するときのみ、当該根管拡大形成器１５１の治療情報や根管長測定器２５１の測定情報を歯科診療用ユニット１１の表示手段１８に表示させることができ、歯科診療室内の他の歯科診療用ユニット１１に送信、表示されるような不都合な事態は皆無となり、根管拡大形成器１５１による根管拡大治療作業や、根管長測定器２５１による根管測定作業の正確性、安全性向上に大いに寄与することができる。
【０１３３】
また、既述した実施例１の無線フットコントローラ２２の場合と同様に、歯科診療室内の清掃作業に伴う根管拡大形成器１５１や根管長測定器２５１の誤作動の問題も回避することができる。
【０１３４】
次に、図２０乃至図２３を参照して本実施例２に係る医療用診療装置１Ｃの変形例である医療用診療装置１Ｄについて説明する。
【０１３５】
図２０に示す医療用診療装置１Ｄは、基本的構成は前記医療用診療装置１Ｂの場合と同様であるが、実施例１の変形例の場合と同様に、前記ドクターテーブル１４の後部に歯科診療用ユニット１１の付属装置として、前記歯科診療用ユニット１１と相互無線通信可能な付属装置である既述した場合と同様なタブレット型端末１０１を設けたこと、及び前記アシスタントハンガー１６の上部に同じく付属装置であるタブレット型端末２０１を設けたことが特徴である。
【０１３６】
また、根管拡大形成器１５１や根管長測定器２５１の配置については実施例２の場合と同一である。
【０１３７】
図２１は変形例に係る医療用診療装置１Ｄの全体構成を示すブロック図である。
【０１３８】
尚、図２０、図２１に示す変形例に係る医療用診療装置１Ｄにおいて、既述した実施例２に係る医療用診療装置１Ｂの場合と同一の要素には同一の符号を付して示し、その詳細説明は省略する。
【０１３９】
また、図２０、図２１に示す変形例に係る医療用診療装置１Ｄにおいては、付属装置として前記タブレット型端末１０１及びタブレット型端末２０１からなる２台を配置した構成としたが、これらのうちいずれか一方のみを使用した構成とすることももちろん可能である。
【０１４０】
上述した構成からなる変形例に係る医療用診療装置１Ｄにおいては、前記タブレット型端末１０１及びタブレット型端末２０１を使用しない状態の基では、既述した実施例２に係る医療用診療装置１Ｂの場合と同様な作用、効果を発揮させることができる。
【０１４１】
さらに、変形例に係る医療用診療装置１Ｄにおいて、前記タブレット型端末１０１及びタブレット型端末２０１を動作状態とすることによって、前記歯科診療用ユニット１１のユニット通信部３６と前記タブレット型端末１０１の端末通信部１０４との間、前記歯科診療用ユニット１１のユニット通信部３６と前記タブレット型端末２０１の端末通信部２０４との間の相互無線通信が各々実行される。
【０１４２】
これにより、実施例２の医療用診療装置１Ｃの場合と同様な作用、効果を発揮させることができることに加えて、前記タブレット型端末１０１、タブレット型端末２０１と、前記歯科診療用ユニット１１のユニット通信部３６との相互無線通信によって、前記タブレット型端末１０１、タブレット型端末２０１の画面にも根管拡大形成器１５１による治療情報、根管長測定器２５１による測定情報を表示させることもできる。
【０１４３】
図２２に根管拡大形成器１５１による治療情報を前記タブレット型端末１０１に表示した例を、図２３に根管長測定器２５１による測定情報をタブレット型端末２０１の画面に表示した例を各々示す。
【０１４４】
上述した実施例２の変形例に係る医療用診療装置１Ｄによれば、前記歯科診療用ユニット１１に一対一で対応させるべき端末装置である根管拡大形成器１５１、根管長測定器２５１が通信エリアＥ内に存在するときのみ、当該根管拡大形成器１５１の治療情報や根管長測定器２５１の測定情報を前記タブレット型端末１０１、タブレット型端末２０１の画面にも表示させることができ、また、上述した実施例２の変形例に係る医療用診療装置１Ｃにおいても、既述した実施例１の場合と同様にして「相互無線通信を無効としました」旨の警告情報を前記タブレット型端末１０１、タブレット型端末２０１の画面に表示するようにすることもできる。
【０１４５】
従って、前記タブレット型端末１０１、タブレット型端末２０１を含む構成として、ドクターやアシスタントが根管拡大形成器１５１、根管長測定器２５１を取り違えて誤操作してしまうという不都合な事態発生を的確に防止でき、ドクターやアシスタントによる根管拡大形成器１５１による根管拡大治療作業や、根管長測定器２５１による根管測定作業の利便性向上、正確性、安全性向上に大いに寄与することができる。
【０１４６】
さらには、図示しないが、実施例２の変形例に係る医療用診療装置１Ｃにおいても、前記実施例１の別の変形例に係る医療用診療装置１Ｂの場合と同様に、前記タブレット型端末１０１、タブレット型端末２０１に替えて、相互無線通信機能（ブルートゥース規格：Class2）を含め前記タブレット型端末１０１等と略同様な機能を有し、より小型の付属装置であるスマートフォン３０１を採用した構成とすることもできる。
【０１４７】
このような付属装置であるスマートフォン３０１を含む構成とすることにより、前記スマートフォン３０１を動作状態とすることによって、前記歯科診療用ユニット１１のユニット通信部３６と、前記スマートフォン３０１の相互無線通信機能とにより、これらの間の相互無線通信が実行される。
【０１４８】
これにより、前記歯科診療用ユニット１１に一対一で対応させるべき端末装置である根管拡大形成器１５１、根管長測定器２５１が通信エリアＥ内に存在するときのみ、当該根管拡大形成器１５１の治療情報や根管長測定器２５１の測定情報を前記スマートフォン３０１の画面に表示したり、相互無線通信不可の場合に既述した実施例１の場合と同様にして「相互無線通信を無効としました」旨の警告情報を前記スマートフォン３０１の画面に表示させることもできる。
【０１４９】
この場合も、スマートフォン３０１を含む構成としてドクターやアシスタントが根管拡大形成器１５１、根管長測定器２５１を取り違えて誤操作してしまうという不都合な事態発生を的確に防止でき、ドクターやアシスタントによる根管拡大形成器１５１による根管拡大治療作業や、根管長測定器２５１による根管測定作業の利便性向上、正確性、安全性向上に大いに寄与することができる。
【産業上の利用可能性】
【０１５０】
本発明は、上述した場合の他、フットコントローラ、手持ち式のリモートコントローラ等を端末装置として使用する眼科診療装置その他各種医療用診療装置の端末装置の取り違え防止技術として広範に応用可能である。
【符号の説明】
【０１５１】
１    医療用診療装置
１Ａ  医療用診療装置
１Ｂ  医療用診療装置
１Ｃ  医療用診療装置
１Ｄ  医療用診療装置
２    無線タグ
３    無線タグリーダ
１１    歯科診療用ユニット
１２    チェア
１２    基台
１３    チェア
１４    ドクターテーブル
１５    ユニット本体部
１６    アシスタントハンガー
１７    アーム
１８    表示手段
１９    コントロールパネル部
２０    インスツルメントハンガー
２０ａ  インスツルメント類
２１    テーブル
２２    無線フットコントローラ
２４    スピットン部
２５    給水ノズル
２６    コップ受
２７    排水鉢
２９    無影灯
３１    制御部
３２    プログラムメモリ
３３    記憶部
３４    操作機能系
３５    監視系
３６    ユニット通信部
３７    無線通信状態切替部
４１    インスツルメント類駆動部
４２    チェア駆動部
４３    無影灯駆動部
５１    切削系を含むドクターテーブルエラー監視部
５２    チェアエラー監視部
５３    無線フットコントローラエラー監視部
５４    電圧・電流・部品温度エラー監視部
５５    空気圧・水圧・気温等のエラー監視部
６１    スイッチ群
６２    スイッチコントローラ
６３    フットコントローラ通信部
６４    電源部
８１    無線タグ制御部
８２    無線タグ記憶部
８３    送受信回路
８４    無線タグアンテナ
８５    無線タグ電力生成部
９１    無線タグリーダ制御部
９２    無線タグリーダプログラムメモリ
９３    送受信回路
９４    無線タグリーダアンテナ
９５    無線タグＩＤ情報記憶部
９６    無線タグ情報判定部
９７    無線タグリーダ電源部
１０１    タブレット型端末
１０２    端末制御部
１０３    端末プログラムメモリ
１０４    端末通信部
１０５    端末表示部
１０６    端末記憶部
１５１    根管拡大形成器
１５２    根管拡大形成器本体
１５３    駆動ケーブル
１５４    ファイル
１５５    ハンドピース
１５６    電気ケーブル
１５７    接触電極
１５８    表示部
１５９    操作部
２０１    タブレット型端末
２０２    端末制御部
２０３    端末プログラムメモリ
２０４    端末通信部
２０５    端末表示部
２０６    端末記憶部
２５１    根管長測定器
２５２    根管長測定器本体
２５３    接続ケーブル
２５４    ファイル
２５５    電気ケーブル
２５６    接触電極
２５７    表示部
２５８    操作部
３０１    スマートフォン
Ｅ    通信エリア
【図１】
0006604785.tif 000002
【図２】
0006604785.tif 000003
【図３】
0006604785.tif 000004
【図４】
0006604785.tif 000005
【図５】
0006604785.tif 000006
【図６】
0006604785.tif 000007
【図７】
0006604785.tif 000008
【図８】
0006604785.tif 000009
【図９】
0006604785.tif 000010
【図１０】
0006604785.tif 000011
【図１１】
0006604785.tif 000012
【図１２】
0006604785.tif 000013
【図１３】
0006604785.tif 000014
【図１４】
0006604785.tif 000015
【図１５】
0006604785.tif 000016
【図１６】
0006604785.tif 000017
【図１７】
0006604785.tif 000018
【図１８】
0006604785.tif 000019
【図１９】
0006604785.tif 000020
【図２０】
0006604785.tif 000021
【図２１】
0006604785.tif 000022
【図２２】
0006604785.tif 000023
【図２３】
0006604785.tif 000024